(57)【要約】【課題】層形成部材の支持位置の精度の低下を抑制することを目的とする。【解決手段】表面に現像剤を保持して回転する現像ロールから予め定められた距離を置いて、現像ロールに保持される現像剤を均して層を形成するトリマー部材１１２が設けられる。トリマー支持部１１４は、トリマー部材１１２の一方の端部側および他方の端部側を支持する。トリマー支持部１１４の下支持部１１４Ａは、トリマー部材１１２の一方の端部側の一部を支持し、下支持部１１４Ａに対向して設けられる上支持部１１４Ｂは、下支持部１１４Ａよりも更に端部に近い一部を支持する。【選択図】図４
2016177019.tif 000002
【特許請求の範囲】
【請求項１】
表面に現像剤を保持して回転する現像剤保持部材と、
一方の端部側および他方の端部側が支持され、前記現像剤保持部材から予め定められた距離を置いて当該現像剤保持部材に沿って設けられ、当該現像剤保持部材に保持される現像剤を均して層を形成する層形成部材と、
前記層形成部材の前記一方の端部側の一部を支持する第１の支持部と、当該第１の支持部よりも更に端部に近い一部を支持し当該第１の支持部に対向して設けられる第２の支持部とによって当該層形成部材の当該一方の端部側を支持する層形成部材支持部と
を備える現像装置。
【請求項２】
前記第１の支持部の近傍に設けられ、前記層形成部材を配置する過程において当該層形成部材と接触する接触面積が徐々に大きくなる位置に設けられた接触部材をさらに備えることを特徴とする請求項１に記載の現像装置。
【請求項３】
前記接触部材が、前記第１の支持部および前記第２の支持部から現像剤が漏れることを防止する現像剤漏れ防止部材であることを特徴とする請求項２に記載の現像装置。
【請求項４】
前記第１の支持部および前記第２の支持部は、前記層形成部材と接触する面が曲面を有することを特徴とする請求項１乃至３のいずれかに記載の現像装置。
【請求項５】
前記第１の支持部は、前記第２の支持部との間で、前記層形成部材の外径を有する支持穴を形成することを特徴とする請求項１乃至４のいずれかに記載の現像装置。
【請求項６】
表面に現像剤を保持して回転する現像剤保持部材と、
一方の端部側および他方の端部側が支持され、前記現像剤保持部材から予め定められた距離を置いて当該現像剤保持部材に沿って設けられ、当該現像剤保持部材に保持される現像剤を均して層を形成する層形成部材と、
前記層形成部材の前記一方の端部側の一部を支持する第１の支持部と、当該第１の支持部よりも更に端部に近い一部を支持し当該第１の支持部に対向して設けられる第２の支持部とによって当該層形成部材の当該一方の端部側を支持する層形成部材支持部と、
前記現像剤保持部材と対峙して配置され、当該現像剤保持部材からの現像剤の供給を受け、表面に像を保持して回転する像保持体と
を備える画像形成装置。
【発明の詳細な説明】
【技術分野】
【０００１】
本発明は、現像装置および画像形成装置に関する。
【背景技術】
【０００２】
特許文献１には、非磁性のステンレス（ＳＵＳ）や快削鋼鋼材（ＳＵＭ材）にニッケルメッキ処理をしたもの等の磁性材料を用いて円柱形状に形成された層厚規制部材が、現像ロールの撹拌搬送部材を通過した後であって現像領域に達する前の位置で現像ロールの軸方向にわたってその表面に対して所要の隙間をあけた状態で配置され、その両端部を筐体の側壁部に回転不能な状態で支持させて取り付けられており、現像ロールに保持された二成分現像剤は、スリーブの回転により、層厚規制部材とスリーブとが最接近する規制位置で層厚規制部材によって通過量が規制されて所要の層厚に調整されることが開示されている。
【０００３】
特許文献２には、現像スリーブ上の現像剤層厚を所定量に規制する現像剤層厚規制部材が、画像形成領域とほぼ同一の領域に磁性部材を使用し、その磁性部材の両端の突起部に非磁性部材を圧入して一体化した現像装置が開示されている。
【０００４】
特許文献３には、円筒状をなし、かつ、回転可能に設けられている現像剤量規制部材を例えばステンレス等の導電体からなる導電体ローラとし、導電体ローラよりなる現像剤量規制部材と現像ローラとの間に、バイアス電圧部にて、劣化キャリアを現像ローラから現像剤量規制部材へと静電的に移動させる電界を生じさせるバイアス電圧を印加するようになっており、現像材の量が常に一定になるようにすることが開示されている。
【先行技術文献】
【特許文献】
【０００５】
【特許文献１】特開２０１３−２５４１４７号公報
【特許文献２】特開２００４−１３９１２３号公報
【特許文献３】特開２００６−３０１５３８号公報
【発明の概要】
【発明が解決しようとする課題】
【０００６】
現像装置に用いられる層形成部材は、その両端を支持穴で保持されることが一般的であるが、その支持穴に層形成部材を挿入する方法として、支持部の内側から層形成部材を一方の支持穴に通した後に、他方の支持穴へ層形成部材を移動させて通す方法（Ｚ組み）がある。このＺ組み方法によると、支持穴の向きから傾斜した方向から層形成部材を傾けて一方の支持穴に通すため、層形成部材が支持穴の壁部をかじりながら支持穴を通過しようとすることで支持穴が変形し、層形成部材の支持位置の精度が低下するおそれがあった。
本発明は、層形成部材の支持位置の精度の低下を抑制することを目的とする。
【課題を解決するための手段】
【０００７】
請求項１に記載の発明は、表面に現像剤を保持して回転する現像剤保持部材と、一方の端部側および他方の端部側が支持され、前記現像剤保持部材から予め定められた距離を置いて当該現像剤保持部材に沿って設けられ、当該現像剤保持部材に保持される現像剤を均して層を形成する層形成部材と、前記層形成部材の前記一方の端部側の一部を支持する第１の支持部と、当該第１の支持部よりも更に端部に近い一部を支持し当該第１の支持部に対向して設けられる第２の支持部とによって当該層形成部材の当該一方の端部側を支持する層形成部材支持部とを備える現像装置である。
請求項２に記載の発明は、前記第１の支持部の近傍に設けられ、前記層形成部材を配置する過程において当該層形成部材と接触する接触面積が徐々に大きくなる位置に設けられた接触部材をさらに備えることを特徴とする請求項１に記載の現像装置である。
請求項３に記載の発明は、前記接触部材が、前記第１の支持部および前記第２の支持部から現像剤が漏れることを防止する現像剤漏れ防止部材であることを特徴とする請求項２に記載の現像装置である。
請求項４に記載の発明は、前記第１の支持部および前記第２の支持部は、前記層形成部材と接触する面が曲面を有することを特徴とする請求項１乃至３のいずれかに記載の現像装置である。
請求項５に記載の発明は、前記第１の支持部は、前記第２の支持部との間で、前記層形成部材の外径を有する支持穴を形成することを特徴とする請求項１乃至４のいずれかに記載の現像装置である。
請求項６に記載の発明は、表面に現像剤を保持して回転する現像剤保持部材と、一方の端部側および他方の端部側が支持され、前記現像剤保持部材から予め定められた距離を置いて当該現像剤保持部材に沿って設けられ、当該現像剤保持部材に保持される現像剤を均して層を形成する層形成部材と、前記層形成部材の前記一方の端部側の一部を支持する第１の支持部と、当該第１の支持部よりも更に端部に近い一部を支持し当該第１の支持部に対向して設けられる第２の支持部とによって当該層形成部材の当該一方の端部側を支持する層形成部材支持部と、前記現像剤保持部材と対峙して配置され、当該現像剤保持部材からの現像剤の供給を受け、表面に像を保持して回転する像保持体とを備える画像形成装置である。
【発明の効果】
【０００８】
請求項１の発明によれば、層形成部材の支持位置の精度の低下を抑制することができる。
請求項２の発明によれば、接触部材を損傷させることなく層形成部材を配置することができる。
請求項３の発明によれば、簡易な構成により第１の支持部および第２の支持部から現像剤が漏れることを防止することができる。
請求項４の発明によれば、層形成部材が支持位置から移動することを抑制することができる。
請求項５の発明によれば、層形成部材を層形成部材支持部に組み込む際に層形成部材支持部を変形させることを抑制し、層形成部材が支持位置から移動することをより一層抑制することができる。
請求項６の発明によれば、層形成部材の支持位置の精度の低下を抑制することができる。
【図面の簡単な説明】
【０００９】
【図１】本実施の形態が適用される画像形成装置の構成の一例を示した図である。
【図２】現像装置の構成を示した図である。
【図３】（ａ）はトリマー支持部の一方の端部側をトリマー支持部の内側から眺めた図であり、（ｂ）はトリマー支持部の一方の端部側をトリマー支持部の外側から眺めた図である。
【図４】（ａ）はトリマー支持部の一方の端部側の支持穴にトリマー部材を入れる際の状態、（ｂ）はトリマー支持部の他方の端部側の支持穴にトリマー部材を入れる際の状態を示した図である。
【発明を実施するための形態】
【００１０】
＜画像形成装置の説明＞
以下、添付図面を参照して、本発明の実施の形態について詳細に説明する。
図１は、本実施の形態に係る画像形成装置１を示す概略構成図である。
画像形成装置１は、画像形成空間１０に配置された画像形成部の一態様として、イエロー（Ｙ）、マゼンタ（Ｍ）、シアン（Ｃ）、ブラック（Ｋ）の複数の画像形成ユニット３０（３０Ｙ，３０Ｍ，３０Ｃ，３０Ｋ）が設けられている。個々の画像形成ユニット３０（３０Ｙ，３０Ｍ，３０Ｃ，３０Ｋ）は、像保持体の一例としての感光体ドラム３１と、この感光体ドラム３１の周囲に順次配設されている各種の電子写真用デバイスとが一体的に形成され、所謂カートリッジ化されている。この一体的に形成される電子写真用デバイスには、例えば、感光体ドラム３１を帯電する帯電ロール３２と、この帯電ロール３２により帯電された感光体ドラム３１上に露光形成された静電潜像を現像する現像装置３３と、感光体ドラム３１上の廃トナーを除去するクリーニング装置３５等が含まれる。但し、カートリッジ化に際して、例えば現像装置３３だけを個別の構造とし、感光体ドラム３１のカートリッジとは別の構造体とすることもできる。
【００１１】
また、画像形成装置１は、画像形成部の一態様として、例えばレーザ光を用いて感光体ドラム３１を露光する露光ユニット４０を有する。また、画像形成装置１は、各画像形成ユニット３０（３０Ｙ，３０Ｍ，３０Ｃ，３０Ｋ）の感光体ドラム３１にて形成された各色トナー像が多重転写される中間転写ベルト５１と、各画像形成ユニット３０（３０Ｙ，３０Ｍ，３０Ｃ，３０Ｋ）にて形成された各色トナー像を中間転写ベルト５１に順次転写（一次転写）する一次転写ロール５２とを備えている。さらに、画像形成装置１は、中間転写ベルト５１上に重畳して形成されたトナー像を記録材（記録紙）である用紙Ｐに一括転写（二次転写）する二次転写ロール８０を備えている。また、二次転写されたトナー像を用紙Ｐ上に定着させる定着ユニット８１を備えている。更に、画像形成装置１は、各画像形成ユニット３０（３０Ｙ，３０Ｍ，３０Ｃ，３０Ｋ）の現像装置３３にトナーを供給するトナーカートリッジ２０を有する。また、画像形成装置１は、画像形成装置１の全体を制御する制御部８３を備えている。
【００１２】
画像形成装置１は、制御部８３による動作制御の下で、一連の画像形成処理を実行する。すなわち、ＰＣやスキャナなどから取得した画像データは、画像処理部（図示せず）により画像処理が施され、各色の画像データとなって露光ユニット４０に送られる。そして、各画像形成ユニット３０（３０Ｙ，３０Ｍ，３０Ｃ，３０Ｋ）では、露光ユニット４０による露光を受け、現像装置３３により現像されて、感光体ドラム３１上にトナー像を形成する。各画像形成ユニット３０（３０Ｙ，３０Ｍ，３０Ｃ，３０Ｋ）の感光体ドラム３１に形成された各色トナー像は、一次転写ロール５２により中間転写ベルト５１上に順次、静電転写（一次転写）され、各色トナーが重畳された重畳トナー像が形成される。中間転写ベルト５１上の重畳トナー像は、中間転写ベルト５１の移動に伴って二次転写ロール８０が配置された二次転写領域に搬送される。一方、用紙Ｐが、重畳トナー像の搬送タイミングに合わせて給紙され、二次転写領域に搬送される。そして、中間転写ベルト５１上の重畳トナー像は、二次転写部にて二次転写ロール８０が形成する転写電界により、搬送されてきた用紙Ｐ上に一括して静電転写（二次転写）される。重畳トナー像が静電転写された用紙Ｐは、定着ユニット８１まで搬送され、定着ユニット８１によって用紙Ｐ上に定着される。定着後の用紙Ｐは、画像形成装置１の排出部に設けられた用紙積載部に搬送される。
【００１３】
＜現像装置の説明＞
次に、画像形成装置１の現像装置３３について、図２および図３を参照して説明する。
ここで、図２は、本実施の形態に係る現像装置３３を説明するための構成図である。図３（ａ）は、現像装置３３が備えるトリマー支持部１１４の一方の端部側をトリマー支持部１１４の内側から眺めた図であり、図３（ｂ）は、トリマー支持部１１４の一方の端部側をトリマー支持部１１４の外側から眺めた図である。また、ここで説明する現像装置３３は、各々の画像形成ユニット３０（３０Ｙ，３０Ｍ，３０Ｃ，３０Ｋ）に対して同様に用いることができる。
【００１４】
図２に示すように、現像装置３３は、現像装置３３の上方に位置し２成分現像剤である現像剤Ｇが収容される初期現像剤収容室１０１と、初期現像剤収容室１０１の下方に隣りあわせて配置され、攪拌された現像剤Ｇを収容する現像ロール室１０２とを備えている。また、現像ロール室１０２の下方であって初期現像剤収容室１０１に隣りあわせて、現像剤Ｇを攪拌するための攪拌搬送室１０７が設けられている。
初期現像剤収容室１０１は、収容した現像剤Ｇを、現像ロール室１０２と攪拌搬送室１０７とにそれぞれ投入する。
【００１５】
現像ロール室１０２は、感光体ドラム３１に対峙して現像を行うための現像ロール１０６を有する。また、現像ロール１０６と予め定められた距離をおいて設けられたトリマー部材１１２を有する。さらに、図３（ａ）に示すように、トリマー部材１１２の下方であって、トリマー部材１１２の一方の端部側と他方の端部側とにそれぞれ設けられた現像剤シール１１３を有する。またさらに、トリマー部材１１２を支持するトリマー支持部１１４を有する。
【００１６】
現像剤保持部材の一例である現像ロール１０６は、感光体ドラム３１（図１参照）と対峙して回転可能に配置される。この現像ロール１０６と感光体ドラム３１との間には、バイアス電圧が付与されて電界が形成され、現像時に現像剤Ｇ中のトナーが感光体ドラム３１の潜像に向けて移動するように構成されている。
層形成部材の一例であるトリマー部材１１２は、現像ロール１０６との間を通過する現像剤Ｇの量を規制することにより、現像ロール１０６上に予め定められた高さの現像剤Ｇ（薄層）を形成するように構成されている。この予め定められた高さを規定すべく、トリマー部材１１２の外周面と現像ロール１０６の外周面とは、現像ロール１０６の長手方向に沿ってほぼ一定の間隙を形成して配置される。
【００１７】
接触部材の一例としての現像剤シール１１３は、トリマー部材１１２の一方の端部側および他方の端部側であって、トリマー支持部１１４の内側にそれぞれ設けられる。現像剤シール１１３は、トリマー部材１１２を支持するトリマー支持部１１４から現像剤Ｇが外部へ漏れることを防止する。現像剤シール１１３の材質としては、例えばウレタンを採用できるが、現像剤Ｇが漏れることを防止できれば材質は限定されず、たとえば弾性部材を用いてもよい。現像剤シール１１３は、現像剤漏れ防止部材の一例としても構成される。
層形成部材支持部の一例としてのトリマー支持部１１４は、トリマー部材１１２の長手方向に沿って設けられ、トリマー部材１１２の一方の端部側および他方の端部側を支持する。トリマー支持部１１４の詳細な説明については、後述する。
【００１８】
攪拌搬送室１０７は、攪拌搬送部材１１１Ａと攪拌搬送部材１１１Ｂとを有する。攪拌搬送部材１１１Ａは、回転軸（図示せず）とその外周に螺旋状に取り付けられている羽根（図示せず）とを有している。同じく攪拌搬送部材１１１Ｂは、回転軸（図示せず）と、その外周に攪拌搬送部材１１１Ａの羽根とは逆向きの螺旋状に取り付けられている羽根（図示せず）とを有している。初期現像剤収容室１０１から攪拌搬送室１０７内に供給された現像剤Ｇは、攪拌搬送部材１１１Ａと攪拌搬送部材１１１Ｂとが回転することによって、攪拌搬送室１０７内および現像ロール室１０２内を循環する。
【００１９】
上述したように、現像ロール１０６上に予め定められた高さからなる現像剤Ｇの薄層を形成するため、現像ロール１０６との間にほぼ一定の間隙を形成してトリマー部材１１２が配置される。一般的に、トリマー部材１１２を支持する支持部として、一方の端部側と他方の端部側とにそれぞれ穴を設け、この穴にトリマー部材１１２を挿入して支持するものがある。このような支持部の穴にトリマー部材１１２を挿入する方法として、支持部の外側からトリマー部材１１２を２つの穴に直線的に通す方法がある。この方法によると、トリマー部材１１２を穴に通す距離が長くなるため、挿入に長い時間を要しかつ、トリマー部材１１２と支持部との間で磨耗が発生し、支持部の穴が変形してトリマー部材１１２の支持位置の精度が低下するおそれがある。
また、例えば、上方が開口したＵ字状の溝を形成する支持部に対して、上方からトリマー部材１１２を嵌める方法がある。この方法によると、支持されたトリマー部材１１２が振動等に起因して上方へ移動し、トリマー部材１１２の支持位置の精度が低下するおそれがある。
そこで、本実施の形態では、以下に示すような支持構成を採用した。
【００２０】
＜トリマー支持部の説明＞
本実施の形態が適用されるトリマー支持部１１４の構成について説明する。
層形成部材支持部の一例としてのトリマー支持部１１４は、トリマー部材１１２の長手方向に沿って設けられ、トリマー部材１１２の一方の端部側および他方の端部側を支持する。また、トリマー支持部１１４は、トリマー部材１１２の一方の端部側で、トリマー部材１１２を下方から支持する下支持部１１４Ａと、トリマー部材１１２を上方から支持する上支持部１１４Ｂとを備える。
【００２１】
第１の支持部の一例としての下支持部１１４Ａは、図３（ａ）に示すように、上方に開口を有し、トリマー部材１１２が嵌まるＵ字状の溝を形成する。下支持部１１４Ａが有するＵ字状の溝は、現像剤シール１１３の上端よりも下方まで延びて形成される。そのため、現像剤シール１１３が設けられる位置は、トリマー支持部１１４が支持するトリマー部材１１２の配置に重なっている。
第２の支持部の一例としての上支持部１１４Ｂは、下支持部１１４Ａよりもトリマー支持部１１４の外側に設けられ、下支持部１１４Ａが支持する現像ロール１０６の一部よりも更に一方の端部に近い一部を支持する。また、上支持部１１４Ｂは、図３（ｂ）に示すように、下支持部１１４Ａの上方から、下支持部１１４Ａが形成するＵ字状の溝の下端部よりも更に下方まで延びて設けられる長穴を形成する。そして、下支持部１１４Ａが有するＵ字状の溝と、上支持部１１４Ｂが有する長穴とにより、トリマー部材１１２を入れて支持する支持穴１１５を形成する。
【００２２】
本実施の形態では、下支持部１１４Ａと、トリマー部材１１２の長手方向について下支持部１１４Ａの外側に設けられた上支持部１１４Ｂとが、支持穴１１５を構成する。そのため、トリマー支持部１１４の内側から眺めた場合に、支持穴１１５は、トリマー部材１１２の長手方向よりも上方に傾斜して向いている。また、トリマー部材１１２の長手方向から眺めた場合に、支持穴１１５の径は、トリマー部材１１２の外径を有している。
また、トリマー支持部１１４は、トリマー部材１１２の他方の端部側でトリマー部材１１２を支持する支持穴（図示せず）を有する。この支持穴は、トリマー支持部１１４の一方の端部側に形成された支持穴１１５と同様に構成されていてもよいが、この構成に限定されず、支持穴の径がトリマー部材１１２の外径を有していればよい。
【００２３】
＜トリマー部材のトリマー支持部への組み込み方の説明＞
続いて、トリマー部材１１２のトリマー支持部１１４への組み込み方について説明する。
図４（ａ）は、トリマー支持部１１４の一方の端部側にトリマー部材１１２を組み込む際の状態を示した図である。また図４（ｂ）は、トリマー支持部１１４の他方の端部側にトリマー部材１１２を組み込む際の状態を示した図である。本実施の形態では、トリマー支持部１１４の内側からトリマー部材１１２を組み込む方法（Ｚ組み）を採用する。
【００２４】
まず、図４（ａ）に示すように、トリマー支持部１１４の一方の端部側であって、下支持部１１４Ａと上支持部１１４Ｂとにより形成した支持穴１１５へ、トリマー部材１１２の一方の端部側を入れる。このとき、上方からトリマー部材１１２を傾けて支持穴１１５に通すこととなるが、支持穴１１５はトリマー部材１１２の長手方向よりも上方を向いて形成している。そのため、トリマー部材１１２を支持穴１１５に入れる方向と支持穴１１５の向きとが揃う。これにより、トリマー部材１１２は下支持部１１４Ａおよび上支持部１１４Ｂをかじることなく、支持穴１１５に入る。そして、トリマー部材１１２が支持穴１１５を通過した後に、トリマー部材１１２の他方の端部側を降ろす。このとき、トリマー支持部１１４の一方の端部側と他方の端部側に設けられた現像剤シール１１３は、上方からトリマー部材１１２に押圧されることで、支持穴１１５の下端部よりも下方に退避するとともに、トリマー部材１１２と接触する接触面積を徐々に大きくしながらトリマー部材１１２を支持する。
【００２５】
その後、図４（ｂ）に示すように、トリマー支持部１１４の他方の端部側に設けられた支持穴にトリマー部材１１２の他方の端部を挿入する。これにより、トリマー部材１１２のトリマー支持部１１４への組み込みが完了する。トリマー部材１１２は一方の端部側と他方の端部側とで、トリマー支持部１１４に支持される。また、トリマー部材１１２の一方の端部側では、下支持部１１４Ａと上支持部１１４Ｂとがトリマー部材１１２にそれぞれ接触して支持する。また、支持穴１１５の径はトリマー部材１１２の外径を有するため、トリマー部材１１２は支持穴１１５に嵌まった状態でトリマー支持部１１４に支持される。
【００２６】
本実施の形態では、下支持部１１４Ａと、トリマー部材１１２の長手方向について下支持部１１４Ａの外側に設けられた上支持部１１４Ｂとが、トリマー部材１１２が入る支持穴１１５を形成する。そのため、支持穴１１５は長手方向よりも上方を向いて形成される。これにより、上方からトリマー部材１１２を傾けて支持穴１１５に通す際に、トリマー部材１１２がトリマー支持部１１４をかじることなく支持穴１１５に入り、支持穴１１５が変形することによるトリマー部材１１２の支持位置の制度の低下が抑制される。トリマー支持部１１４はトリマー部材１１２を組み込む際に生じる変形が抑制されるため、リサイクルして使用される。また、トリマー支持部１１４以外にトリマー部材１１２を支持する構成を必要としない。
【００２７】
また、トリマー支持部１１４の内側からトリマー部材１１２を支持穴１１５に入れるため、外側からトリマー部材１１２を入れてトリマー支持部１１４に組み込むよりも、トリマー部材１１２を支持穴１１５に通す距離が短くなる。このため、短時間でトリマー部材１１２の組み込みが完了しかつ、トリマー部材１１２との接触によるトリマー支持部１１４の磨耗が抑制される。
さらに、現像剤シール１１３は、トリマー部材１１２をトリマー支持部１１４に配置する過程においてトリマー部材１１２と接触する接触面積が徐々に大きくなる位置に設けられているが、トリマー部材１１２を組み込む際は、現像剤シール１１３を上方より押圧してから組み込むこととなる。そのため、トリマー支持部１１４の外側からトリマー部材１１２を支持穴１１５に入れてトリマー支持部１１４に組み込む場合に生じる、トリマー部材１１２が現像剤シール１１３をかじり損傷させることが抑制される。またさらに、現像剤シール１１３と対向して上支持部１１４Ｂが設けられトリマー部材１１２を支持する。このため、トリマー部材１１２が現像剤シール１１３を押圧することにより生じる現像剤シール１１３からの反力によってトリマー部材１１２が上方へ移動することが抑制される。
【００２８】
本実施の形態では、下支持部１１４Ａに対してトリマー部材１１２の長手方向の外側に上支持部１１４Ｂが設けられる。ここで、下支持部１１４Ａと上支持部１１４Ｂとはトリマー部材１１２の長手方向に揃っていなければよく、離間して設けられていてもよい。
また、本実施の形態では、上支持部１１４Ｂが長穴を形成する。ここで、上支持部１１４Ｂが下支持部１１４Ａとの間で支持穴１１５を形成するものであれば、下支持部１１４ＡのＵ字状の溝よりも下方にある上支持部１１４Ｂの形状は限定されず、たとえば、上支持部１１４Ｂは下方に開口を有するＵ字状の溝であってもよい。
【００２９】
また、本実施の形態では、トリマー部材１１２を下方から下支持部１１４Ａにより支持し、上方から上支持部１１４Ｂにより支持しているが、トリマー支持部１１４が設けられる方向はこの構成に限定されず、下支持部１１４Ａが上支持部１１４Ｂに対して対向して設けられていればよい。
【符号の説明】
【００３０】
１…画像形成装置、３３…現像装置、１０６…現像ロール、１１２…トリマー部材、１１３…現像材シール、１１４…トリマー支持部、１１４Ａ…下支持部、１１４Ｂ…上支持部、１１５…支持穴
【図１】
2016177019.tif 000003
【図２】
2016177019.tif 000004
【図３】
2016177019.tif 000005
【図４】
2016177019.tif 000006